(57)【要約】１つまたは複数のバッテリのためのバッテリ管理システムが提供される。このシステムは、表示ユニットと、表示ユニットに連結されるコントローラとを含み、このコントローラは、医療供給システムが１つまたは複数のバッテリに連結されたことを判断し、表示ユニットを制御して、医療供給システムが１つまたは複数のバッテリに連結されたときのバッテリ残り時間（ＴＲＯＢ）に対応する初期数値を表示させ、ＴＲＯＢが保存期間上限までの保存期間内にあるか否かを判断し、保存期間上限は最大ＴＲＯＢより小さく、ＴＲＯＢが保存期間上限より大きい場合、医療供給システムの動作状態に応じてＴＲＯＢを変更し、ＴＲＯＢが保存期間上限より小さい場合、医療供給システムの動作状態に関係なくＴＲＯＢを減少させるようにプログラムされている。
2014501125.tif 000002
【特許請求の範囲】
【請求項１】
医療供給システムに連結可能な１つまたは複数のバッテリのためのバッテリ管理システムであって、前記医療供給システムが交流主電源に連結されていないときに、前記１つまたは複数のバッテリが前記システムに連結され、前記システムは、
表示ユニットと、
前記表示ユニットに連結され、かつ
前記医療供給システムが前記１つまたは複数のバッテリに連結されたことを判断し、
前記表示ユニットを制御して、前記医療供給システムが前記１つまたは複数のバッテリに連結されたときのバッテリ残り時間（ＴＲＯＢ）に対応する初期数値を表示させ、
前記ＴＲＯＢが保存期間上限までの保存期間内にあるか否か判断し、前記保存期間上限は最大ＴＲＯＢより小さく、
前記ＴＲＯＢが前記保存期間上限より大きい場合、前記医療供給システムの動作状態に応じて前記ＴＲＯＢを変化させ、
前記ＴＲＯＢが前記保存期間上限より小さい場合、前記医療供給システムの前記動作状態に関係なく、前記ＴＲＯＢを減少させる
ようにプログラムされているコントローラと、
を含むバッテリ管理システム。
【請求項２】
前記ＴＲＯＢは、前記１つまたは複数のバッテリおよび前記医療システムの保守的モデリングにしたがって判断される、請求項１に記載のシステム。
【請求項３】
前記ＴＲＯＢ、前記最大ＴＲＯＢ、および前記保存期間の推定は、前記１つまたは複数のバッテリおよび前記医療供給システムの挙動モデルに基づく、請求項１または２に記載のシステム。
【請求項４】
前記ＴＲＯＢは、前記１つまたは複数のバッテリのバッテリサイクルおよび最終放電電圧に依存する、前記１つまたは複数のバッテリのエネルギー容量に基づく、請求項１〜３のいずれか１項に記載のシステム。
【請求項５】
前記保存期間は、前記１つまたは複数のバッテリのバッテリサイクル、バッテリ温度および最終放電電圧ならびに前記医療供給システムのための極限動作持続時間に依存する、前記１つまたは複数のバッテリのエネルギー容量に基づく、請求項１〜４のいずれか１項に記載のシステム。
【請求項６】
前記ＴＲＯＢが前記保存期間上限より大きい場合に、前記コントローラは、
前記医療供給システムの第一の動作状態に応じて第一の予想ＴＲＯＢを判断し、
前記医療供給システムが前記第一の動作状態から第二の動作状態に変化したことを判断し、
前記医療供給システムの前記第二の動作状態に応じて第二の予想ＴＲＯＢを判断する
ようにプログラムされている、請求項１〜５のいずれか１項に記載のシステム。
【請求項７】
前記コントローラは、前記ＴＲＯＢを判断するために、前記第一の予想ＴＲＯＢまたは前記第二の予想ＴＲＯＢに前記保存期間上限を加えるようにプログラムされている、請求項６に記載の方法。
【請求項８】
前記コントローラは、有効バッテリ容量および第一のバッテリ寿命予想に応じて前記第一の予想ＴＲＯＢを判断し、前記有効バッテリ容量および第二のバッテリ寿命予想に応じて前記第二の予想ＴＲＯＢを判断するようにプログラムされている、請求項６に記載のシステム。
【請求項９】
前記システムは、前記１つまたは複数のバッテリに連結可能な充電ユニットをさらに含み、前記コントローラは前記充電ユニットに連結され、かつ
前記医療システムが主電源電圧に連結されたときに前記充電器を作動させて、前記１つまたは複数のバッテリを充電し、
前記ＴＲＯＢを、前記１つまたは複数のバッテリの再充電状態に応じて、第一の増分だけ、または前記ＴＲＯＢ最大値まで増大させる
ようにさらにプログラムされている、請求項１〜８のいずれか１項に記載のシステム。
【請求項１０】
前記再充電状態は、前記１つまたは複数のバッテリ内の充電電流に依存する、請求項９に記載のシステム。
【請求項１１】
前記ＴＲＯＢは第一の電荷測定値に関連する第一の再充電状態に応じて第一の増分だけ増大され、前記ＴＲＯＢは第二の充電電流測定値に関連する第二の充電状態に応じて最大ＴＲＯＢまで増大され、前記第二の充電電流測定値は前記第一の充電電流測定値より小さい、請求項１０に記載のシステム。
【請求項１２】
前記システムは、前記１つまたは複数のバッテリに連結可能な充電ユニットをさらに含み、前記コントローラは前記充電ユニットに連結され、かつ
前記医療システムが主電源電圧に連結されたときに前記充電器を作動させて、前記１つまたは複数のバッテリを充電し、
前記ＴＲＯＢを、前記１つまたは複数のバッテリの再充電状態に応じて、第一の増分だけ、第二の増分だけ、またはＴＲＯＢ最大値まで増大させる
ようにさらにプログラムされている、請求項９に記載のシステム。
【請求項１３】
医療供給システムであって、
１つまたは複数のバッテリと、
薬液の経静脈送達に使用される携帯型ポンプであって、前記１つまたは複数のバッテリに連結可能な携帯型ポンプと、
表示ユニットと、
入力ユニットと、
前記携帯型ポンプ、前記表示ユニット、および前記入力ユニットに連結され、前記入力ユニットから入力を受け取り、前記携帯型ポンプを制御して、受け取った前記入力に応じた動作状態に入るように構成されているポンプコントローラと、
前記１つまたは複数のバッテリに連結された充電器と、前記表示ユニットに連結されたコントローラと、を備えるバッテリ管理システムであって、前記コントローラが、
前記携帯型ポンプが前記１つまたは複数のバッテリに連結されたことを判断し、
前記表示ユニットを制御して、前記携帯型ポンプが前記１つまたは複数のバッテリに連結されたときのＴＲＯＢに対応する初期数値を表示させ、
前記ＴＲＯＢが保存期間上限までの保存期間内にあるか否か判断し、前記保存期間上限が最大ＴＲＯＢより小さく、
前記ＴＲＯＢが前記保存期間上限より大きい場合、前記医療供給システムの動作状態に応じて前記ＴＲＯＢを変化させ、
前記ＴＲＯＢが前記保存期間上限より小さい場合、前記医療供給システムの前記動作状態に関係なく、前記ＴＲＯＢを減少させ、
前記携帯型ポンプが前記主電源電圧に連結されたときに前記充電器を作動させて、前記１つまたは複数のバッテリを充電し、
前記ＴＲＯＢを、前記１つまたは複数のバッテリの再充電状態に応じて、第一の増分だけ、または前記ＴＲＯＢ最大値まで増大させる
ようにプログラムされているバッテリ管理システムと、
を含む医療供給システム。
【請求項１４】
前記ＴＲＯＢは、前記１つまたは複数のバッテリおよび前記医療システムの保守的モデリングにしたがって決定される、請求項１３に記載のシステム。
【請求項１５】
前記ＴＲＯＢ、前記最大ＴＲＯＢ、および前記保存期間の推定は、前記１つまたは複数のバッテリおよび前記医療供給システムの挙動モデルに基づく、請求項１３または１４に記載のシステム。
【請求項１６】
前記ＴＲＯＢは、前記１つまたは複数のバッテリのバッテリサイクルおよび最終放電電圧に依存する、前記１つまたは複数のバッテリのエネルギー容量に基づく、請求項１３〜１５のいずれか１項に記載のシステム。
【請求項１７】
前記保存期間は、前記１つまたは複数のバッテリのバッテリサイクル、バッテリ温度および最終放電電圧ならびに前記医療供給システムのための極限動作持続時間に依存する、前記１つまたは複数のバッテリのエネルギー容量に基づく、請求項１３〜１６のいずれか１項に記載のシステム。
【請求項１８】
前記ＴＲＯＢが前記保存期間上限より大きい場合に、前記コントローラは、
前記医療供給システムの第一の動作状態に応じて第一の予想ＴＲＯＢを判断し、
前記医療供給システムが前記第一の動作状態から第二の動作状態に変化したことを判断し、
前記医療供給システムの前記第二の動作状態に応じて第二の予想ＴＲＯＢを判断する
ようにプログラムされている、請求項１３〜１７のいずれか１項に記載のシステム。
【請求項１９】
前記コントローラは、前記ＴＲＯＢを判断するために、前記第一の予想ＴＲＯＢまたは前記第二の予想ＴＲＯＢに前記保存期間上限を加えるようにプログラムされている、請求項１８に記載の方法。
【請求項２０】
前記コントローラは、有効バッテリ容量および第一のバッテリ寿命予想に応じて前記第一の予想ＴＲＯＢを判断し、前記有効バッテリ容量および第二のバッテリ寿命予想に応じて前記第二の予想ＴＲＯＢを判断するようにプログラムされている、請求項１８に記載のシステム。
【請求項２１】
前記システムは、前記１つまたは複数のバッテリに連結可能な充電ユニットをさらに含み、前記コントローラは前記充電ユニットに連結され、かつ
前記医療システムが主電源電圧に連結されたときに前記充電器を作動させて、前記１つまたは複数のバッテリを充電し、
前記ＴＲＯＢを、前記１つまたは複数のバッテリの再充電状態に応じて、第一の増分だけ、または前記ＴＲＯＢ最大値まで増大させる
ようにさらにプログラムされている、請求項１３〜２０のいずれか１項に記載のシステム。
【請求項２２】
前記再充電状態は、前記１つまたは複数のバッテリ内の充電電流に依存する、請求項２１に記載のシステム。
【請求項２３】
前記ＴＲＯＢは第一の電荷測定値に関連する第一の再充電状態に応じて第一の増分だけ増大され、前記ＴＲＯＢは第二の充電電流測定値に関連する第二の充電状態に応じて最大ＴＲＯＢまで増大され、前記第二の充電電流測定値は前記第一の充電電流測定値より小さい、請求項２２に記載のシステム。
【請求項２４】
前記システムは、前記１つまたは複数のバッテリに連結可能な充電ユニットをさらに含み、前記コントローラは前記充電ユニットに連結され、かつ
前記医療システムが主電源電圧に連結されたときに前記充電器を作動させて、前記１つまたは複数のバッテリを充電し、
前記ＴＲＯＢを、前記１つまたは複数のバッテリの再充電状態に応じて、第一の増分だけ、第二の増分だけ、またはＴＲＯＢ最大値まで増大させる
ようにさらにプログラムされている、請求項２１に記載のシステム。
【発明の詳細な説明】
【技術分野】
【０００１】
本発明は、バッテリ管理システム、特に、医療供給システム、たとえば輸液ポンプとポンプコントローラを含む医療供給システム等に使用されるバッテリ管理システムに関する。
【背景技術】
【０００２】
医学的状態に対する療法、すなわち治療は、さまざまな方法で特徴付けることができる。たとえば療法は、薬剤や放射線等、患者の状態に変化を来すために使用される作用物質の点で論じられることがある。またたとえば、療法は投与方法または経路の点で論じられることもある。
【０００３】
点滴療法、すなわち治療の経静脈供給（すなわち静脈内への供給）は当業界でよく知られている。その最も単純な形態として、点滴療法はドリップチャンバ、輸液セット、カテーテルを介して患者に接続される容器またはバッグを使って行われてもよい。このようなシステムにおいて、このような方法によれば、流体は重力の影響を受けてバッグから患者へと移動する。より複雑なシステムでは、ポンプまたはカフを使って患者への流体流を制御してもよい。
【０００４】
ポンプを使用する場合、従来、ポンプの電源供給には主電源が一次電源として使用される。主電源は一般に、ポンプだけでなく、ポンプに関連するポンプコントローラへの電源供給にも使用され、このポンプコントローラは、医療用流体を容器またはバッグから患者へと個別に供給するようにプログラムされていてもよい。たとえば、ポンプコントローラは、ポンプを制御することによって流体が特定の流量で供給されるようにプログラムされていてもよい。
【０００５】
また、バッテリ電源は、ポンプとポンプコントローラに限定的な期間だけ電源供給するために設置されるのが一般的である。バッテリ電源は、主電源の停止によって、患者への流体供給が中断される可能性を制限するために含まれてもよい。バッテリ電源はまた、ポンプとポンプコントローラを患者と共に移動できるようにするために含められてもよく、その間、ポンプとポンプコントローラを主電源に接続することは不可能または非現実的であることもあり、これはたとえば、検査のための患者の搬送時、入浴時、または回復促進のための歩行訓練時である。しばしば、重篤患者の搬送にあたっては、患者への点滴が生命維持目的という性格を有するため、バッテリ運転の持続時間がきわめて確実に保証される必要がある。このような状況でバッテリ運転の持続時間が確保されないと、生命を脅かす事態につながる可能性があり、これは米国食品医薬品局（ＦＤＡ）のＭａｎｕｆａｃｔｕｒｅｒ  ａｎｄ  Ｕｓｅｒ  Ｆａｃｉｌｉｔｙ  Ｄｅｖｉｃｅ  Ｅｘｐｅｒｉｅｎｃｅ（「ＭＡＵＤＥ」という）のデータベースに掲載されている。
【０００６】
バッテリ電源は、ポンプとポンプコントローラが再び主電源に連結されるまでの限定的な期間のみ、ポンプとポンプコントローラに電源供給すればよいと想定されているため、このようなバッテリ電源は通常、１つまたは複数の再充電可能なバッテリを含む。ポンプとポンプコントローラが再び主電源に連結されると、充電器を作動させて、バッテリをそのフル充電の状態に戻すことができる。再充電可能なバッテリを使用する１つの利点は、医療従事者が、放電サイクルが終了するたびにバッテリを交換して、次の放電サイクルに備えてバッテリ電源をフル充電状態にしておく必要がないことである。
【発明の概要】
【発明が解決しようとする課題】
【０００７】
再充電式バッテリは、従来の、再充電式でないバッテリよりスタンバイ寿命が長いものの、再充電式バッテリにも想定される動作寿命が確かにあり、これは年数および／または充放電サイクルの数で推定され得る。最終的には、再充電式バッテリも交換する必要がある。これに加えて、再充電式バッテリの動作寿命中に、バッテリの充電容量が減っていく。
【０００８】
以下により詳しく説明するように、本発明は、前述のような従来の機器と方法の有利な代替的態様を実施する、改良されたアセンブリを提供する。特に、本発明は、重要な治療を提供する携帯型機器のためのバッテリ管理分野においてまだ満たされていない重大なニーズに応える。
【課題を解決するための手段】
【０００９】
本発明のある態様によれば、医療供給システムに連結可能な１つまたは複数のバッテリのためのバッテリ管理システムが提供され、医療供給システムが交流主電源に連結されていないときに、１つまたは複数のバッテリが医療供給システムに連結される。このシステムは、表示ユニットと、表示ユニットに連結されたコントローラと、を含み、このコントローラは、医療供給システムが１つまたは複数のバッテリに連結されたことを判断し、表示ユニットを制御して、医療供給システムが１つまたは複数のバッテリに連結されたときのバッテリ残り時間（ＴＲＯＢ）に対応する初期数値を表示させ、ＴＲＯＢが保存期間(ｒｅｓｅｒｖｅ  ｒａｎｇｅ)上限までの保存期間内にあるか否かを判断し、この保存期間上限は最大ＴＲＯＢより小さく、ＴＲＯＢが保存期間上限より大きい場合、医療供給システムの動作状態に応じてＴＲＯＢを変更し、ＴＲＯＢが保存期間上限より小さい場合、医療供給システムの動作状態に関係なく、ＴＲＯＢを減少させるようにプログラムされている。
【００１０】
本発明の他の態様によれば、医療供給システムは、１つまたは複数のバッテリと、薬液の経静脈送達に使用される携帯型ポンプであって、１つまたは複数のバッテリに連結可能な携帯型ポンプと、表示ユニットと、入力ユニットと、携帯型ポンプ、表示ユニットおよび入力ユニットに連結されるポンプコントローラと、を含み、ポンプコントローラは、入力ユニットからの入力を受け取り、携帯型ポンプを制御して、受け取った入力に応じた動作状態に入るようにプログラムされている。この医療供給システムはまた、表示ユニットと、表示ユニットに連結されるコントローラと、を含み、このコントローラは、医療供給システムが１つまたは複数のバッテリに連結されたことを判断し、表示ユニットを制御して、医療供給システムが１つまたは複数のバッテリに連結されたときのバッテリ残り時間（ＴＲＯＢ）に対応する初期数値を表示させ、ＴＲＯＢが保存期間上限までの保存期間内にあるか否かを判断し、この保存期間上限は最大ＴＲＯＢより小さく、ＴＲＯＢが保存期間上限より大きい場合、医療供給システムの動作状態に応じてＴＲＯＢを変更し、ＴＲＯＢが保存期間上限より小さい場合、医療供給システムの動作状態に関係なく、ＴＲＯＢを減少させるようにプログラムされている。
【００１１】
本発明は、以下の説明を、添付の図面と併せて読むことによって、よりよく理解できると考えられる。一部の図面では、ある要素を省略することによって簡略化し、他の要素をより明瞭に示している場合もある。このように、一部の図面で要素が省略されていても、それに対応する説明文の中に明確に記載されていないかぎり、必ずしも特定の要素の例示的実施形態のいずれかにおける有無を示しているとはかぎらない。いずれの図面も、必ずしも正確な縮尺で描かれているとはかぎらない。
【図面の簡単な説明】
【００１２】
【図１】本発明による医療供給システムとバッテリ管理システムの概略図である。
【図２】図１のバッテリ管理システムのブロック図である。
【図３】図２によるバッテリ管理システムにより使用される放電管理方法のフローチャートである。
【図４】図２によるバッテリ管理システムにより使用される充電管理の方法のブロック図である。
【発明を実施するための形態】
【００１３】
以下の説明文は、本発明の異なる実施形態を詳細に説明するが、理解すべき点として、本発明の法的な範囲は本特許の末尾に記載されている特許請求の範囲の文言によって定義される。詳細な説明はあくまでも例として解釈されるべきであり、本発明の考えうるすべての実施形態を記したものではなく、それは、考えうるすべての実施形態を説明することは、不可能ではないとしても非現実的であるからである。現在の技術や本特許の出願日以降に開発される技術を使って、多数の代替的実施形態を実現でき、これらも依然として、本発明を定義する特許請求の範囲に包含される。
【００１４】
また、理解すべき点として、ある用語が本特許の中で、「本明細書において、『−』という用語は…を意味するものと定義する」という文章または同様の文章により明確に定義されていないかぎり、その用語の意味が、明示的にも黙示的にも、その平易な、または通常の意味を超えるものに限定されることはなく、このような用語は、（特許請求の範囲の文言を除き、）本特許のいずれかの部分におけるいずれかの記述に基づいてその範囲が限定されると解釈するべきではない。本特許の末尾の特許請求の範囲で使用されているいずれかの用語が本特許において、単独の意味と一致する方法で記載されている場合、これは読み手の混乱を招かないように、明瞭さのためにのみ行われており、そのような用語が黙示的またはその他の方法で、その単独の意味に限定されることは意図されない。最後に、特許請求の範囲の要素が、構造は記されずに「手段」という単語と機能により定義されていないかぎり、特許請求の範囲の要素の範囲はいずれも、米国特許法第１１２条第６節の適用に基づいて解釈されるとは意図されない。
【００１５】
図１は、本発明による医療供給システム５０を示す。医療供給システム５０は、プラグ５４を介してＡＣ主電源５２に連結されていてもよく、あるいは医療供給システム５０は、１つまたは複数のバッテリ５６に連結されていてもよい。たとえば、医療供給システム５０は、システム５０がたとえば患者の病室内に置かれたままであるときには、主電源５２に連結されていてもよい。あるいは、医療供給システム５０は、システム５０が患者と一緒に移動するとき、または電源、たとえば主電源５２がそれ以外で利用できないとき（すなわち、システム５０が交流電源に連結されていないとき）、１つまたは複数のバッテリ５６に連結されていてもよい。
【００１６】
バッテリ５６は、制御弁式鉛蓄電池（Ｙｕａｓａが販売する＃ＭＤ１２０２０等）の形態であってもよい。その結果、スマートバッテリの仕様を利用した、より新しい設計のバッテリとは異なり、バッテリ５６の充電状態と健全性は、バッテリ５６の使用者にとって、容易に判断されず、また不明である。バッテリ５６の状態に関する情報がないと、バッテリの充電状態に関する情報が容易に入手できないため、電荷残量の計算がより複雑となる。以下のシステムと方法は、このようなバッテリに使用した場合に特に有利であるが、当然のことながら、このシステムと方法は他の種類のバッテリにも有利に使用できる。
【００１７】
１つまたは複数のバッテリ５６には、バッテリ管理ステム６０が関連付けられる。バッテリ管理システム６０は図１において、バッテリ５６と共通のハウシング６２に配置されているように描かれているが、これは本発明の１つの実施形態にすぎない。たとえば、バッテリ管理システム６０はバッテリ５６とは別のハウジングの中に設置されてもよく、次に、そのサブアセンブリがバッテリ５６に接続されても、その他の方法で関連付けられてもよい。
【００１８】
図１と２に示されるように、バッテリ管理システム６０は表示ユニット６４を含む。図の実施形態において、表示ユニット６４は、システム５０もまた、バッテリ５６またはバッテリ管理システム６０に関する情報以外の情報を医療従事者に向けて表示するために利用してよい。しかしながら、他の実施形態によれば、表示ユニット６４はバッテリ管理システム６０専用であり、バッテリ管理システム６０に関する情報だけを表示してもよい。
【００１９】
図２に示されるように、バッテリ管理システム６０は表示ユニット６４に連結されたコントローラ６６を含む。コントローラ６６は、プロセッサ６８と、メモリ７０と、入力／出力インタフェース７２と、を含んでいてもよい。メモリ７０は、リードオンリメモリ（ＲＯＭ）とランダムアクセスメモリ（ＲＡＭ）の形態であってもよい。ＲＯＭは、イレーサブルプログラマブルＲＯＭ（ＥＰＲＯＭ）や電気的消去可能プログラマブルＲＯＭ（ＥＥＰＲＯＭ）を含むさまざまな形態をとってもよい。これに加えて、説明しやすくするために、インタフェース７２は入力／出力インタフェースとして示されているが、当然のことながら、インタフェース７２は、一方は入力専用、もう一方は出力専用と、別々のデバイスの形態とすることができる。
【００２０】
コントローラ６６は、本発明によるバッテリ管理方法を実行するようにプログラムされる。特に、コントローラ６６は、バッテリ５６の放電と再充電を実行するようにプログラムされてもよく、そのためには、バッテリ５６の充電状態と健全性に関する限られた量の情報しか入手できないが、当然のことながら、これは他の状況にも使用できる。バッテリ５６のこの放電および再充電方法は、バッテリ５６と医療供給機器５０の挙動（特にその電力消費）の保守的なモデリングにしたがって実行されてもよいが、これは保守的なモデリングを用いなくても実行できる。さらに、この方法は、本明細書の中でバッテリ残り時間（ＴＲＯＢ）と呼ばれる数値を提供してもよく、この数値は、コントローラ６６に関連するクロックまたはコントローラ６６により実行されるクロック機能によって測定される経過時間に直接関係する。したがって、ＴＲＯＢは決定論的と言ってもよく、それは、クロックを使って経過時間が測定され、クロックにより測定された経過時間が、バッテリが特定の時間で特定の動作状態を実行する能力に関連付けられるという点によるものであり、これはバッテリの検出パラメータ（たとえば電圧）を使ってバッテリ寿命の予測を行う既存のシステムとは対照的であり得る。さらに、この放電および再充電方法では、使用者による動作が厳密に促されるように図られ、それによって、たとえば時間、分またはときには秒という時間単位でＴＲＯＢの視覚的指標を使用者に向けて表示する際に、高い信頼性（たとえば、９０％を超え、また特定の実施形態では９５％を超える）が維持されるような方法でバッテリ５６を放電させ、再充電することができる。それゆえ、ＴＲＯＢを、特定の実施形態によれば保守的なモデリングとともに、また他の実施形態によれば保守的なモデリングとは別に使用してもよいことを認識すべきである。
【００２１】
すわなち、バッテリ管理システムを取り入れた従来の医療供給機器によれば、この医療供給機器の使用者に対し、緑色、黄色、赤色ランプ等、３つの状態の１つが存在することを示す指標が提供されてもよい。これらの３つの状態は、医療供給システム５０がバッテリから電源供給されているときに感知されるバッテリの電圧レベルに応じて判断されてもよい。それゆえ、使用者が、バッテリがフル充電されている供給機器をバッテリが一部または完全に放電した後の供給機器から区別することはできるが、このようなシステムでは、その医療供給機器がそれに関連するバッテリを使ってどれだけの時間にわたって動作できるかを、使用者はいかなる信頼度でも判断できない。実際、従来の方法は、感知された電圧を使用するため、また、その電圧は関連する医療供給システムの供給速度（たとえば、システムが単チャンネルまたは多チャネルポンプを含む場合）、バッテリの温度、およびそのバッテリがそれまでに行った充電／放電サイクルの数によって左右されるため、さまざまな警報が発せられるタイミングは、バッテリの寿命の中で変化する可能性がある。このような条件では、残りの電力で、患者とそれに関連する医療供給システム（たとえば、ポンプとポンプコントローラ）を、たとえば医学的検査のために患者の病室から医療施設内の他の場所に移動できるのかどうか（その間、医療供給システムを関連するバッテリを使って動作させなければならない）を判断できないこともある。
【００２２】
このために、バッテリ管理システム６０（および特にコントローラ６６）は、ディスプレイにＴＲＯＢの視覚的指標をディスプレイ上に表示させるようにプログラムされ、これによって使用者は、ＴＲＯＢをたとえば患者の搬送に必要な時間と比較し、既存の装置で搬送を試みることができるか、それとも他の装置が必要かを判断できるであろう。さらに、バッテリ管理システム６０が使用できる方法は、使用者がバッテリを使用する際、使用者に向けて表示されるＴＲＯＢを高い信頼度で明示できなくなる程、バッテリ５６にストレスをかける動作を行わなくてすむような方法である。
【００２３】
すると、本発明の特定の実施形態によれば、コントローラ６６は、以下の動作を含むことのできる方法を実行するようにプログラムされてもよいが、後述のように、この方法には他の動作が含まれていてもよい。特に、コントローラ６６は、医療供給システムが１つまたは複数のバッテリに連結されたことを判断し、表示ユニットを制御して、医療供給システムが１つまたは複数のバッテリに連結されたときのＴＲＯＢに対応する初期数値を表示させ、このＴＲＯＢは１つまたは複数のバッテリおよびシステムの保守的モデリングにより判断され、ＴＲＯＢが保存期間上限までの保存期間内にあるか否かを判断するようにプログラムされていてもよく、この保存期間上限は最大ＴＲＯＢより小さい。コントローラ６６はまた、ＴＲＯＢが保存期間上限より大きい場合、医療供給システムの動作状態に応じてＴＲＯＢを変更し、ＴＲＯＢが保存期間上限より小さい場合、医療供給システムの動作状態に関係なく、ＴＲＯＢを減少させるようにプログラムされていてもよい。
【００２４】
特にバッテリサイクル（サイクル数）、放電温度、放電電圧に関して保守的な、保守的モデリングにしたがってバッテリを放電させることにより、システム６０は以下の利点の１つまたは複数を提供することができる。たとえば、保守的モデリングは、高い信頼度によるＴＲＯＢの提供に貢献しうる。さらに、放電電圧を制限することにより、バッテリ５６を従来のシステムで可能な点まで放電させるシステム６０と比較して、バッテリが受ける可能性のあるダメージを回避するか、少なくとも制限できる。
【００２５】
さらに、バッテリ管理システム６０はまた、コントローラ６６に連結され、１つまたは複数のバッテリ５６に連結可能な充電ユニット８０を含んでいてもよい。コントローラ６６はさらに、医療システムが主電源電圧に連結されたときに充電器を作動させて、１つまたは複数のバッテリを充電し、１つまたは複数のバッテリの再充電状態に応じて、第一の増分だけ、またはＴＲＯＢ最大値まで、ＴＲＯＢを増加させるようにプログラムされていてもよい。
【００２６】
ＴＲＯＢを限定的な回数で個別に増大させるような充電（または再充電でもよく、これは、本明細書において、文脈上他の解釈が示唆されないかぎり、これらの用語は同義的に使用されるからである）を行うことによって、システム６０は以下の利点の１つまたは複数を提供することができる。ＴＲＯＢを限定的な回数で増大させ、または回復させることにより、再充電工程の各段階に高い信頼度を持たせることができる。限定的な数だけ回復させることにより、システムはまた、使用者がバッテリを継続的に放電および再充電させる能力を制限でき、これは、使用者が、システム６０によって可能とされる限定的な回数の個別の回復時にしか、ＴＲＯＢを正確に推測できないからである。それゆえ、この方法により、使用者は、再充電中の充電電流が高くなる充電／放電動作範囲では、バッテリ５６を使用しないようになる。その代わりに、使用者は、医療供給システムをできるだけ頻繁に主電源に連結しておこうとする。実際に、保守的モデリングの使用によるバッテリ放電電圧の制限と合わせれば、高い充電電流の使用を制限することによって、バッテリが受けるダメージを大幅に、たとえば７５％低減させることができる。
【００２７】
以上、医療供給システム５０、バッテリ管理システム６０、それらの相互作用、およびバッテリ管理システム６０の動作を概括的に説明したところで、次に、システム５０、６０の例示的実施形態の構造と動作を、図１と２のほか、図３と４も参照しながらより具体的に説明する。特に、図３は、システム５０に関連する１つまたは複数のバッテリ５６の放電管理の方法１５０のある実施形態を示し、図４は、１つまたは複数のバッテリ５６の充電管理の方法２５０のある実施形態を示す。
【００２８】
方法１５０は、ブロック１５２で、コントローラ６６が、医療供給システム５０がバッテリ５６に連結されたと判断することから始まる。コントローラ６６は次に、ブロック１５４で、ＴＲＯＢが最小ＴＲＯＢと等しいか否かについて、初期判断を行う。特定の実施形態によれば、最小ＴＲＯＢは０分であってもよい。他の実施形態によれば、最小ＴＲＯＢは０以外の時間に設定されてもよい。しかしながら、ブロック１５４でＴＲＯＢが最小ＴＲＯＢと等しいとブロック１５４で判断されると、この方法はブロック１５８と１６０に進み、ここでコントローラ６６は、音声アラーム８２を作動させて、ＴＲＯＢが最小ＴＲＯＢと等しいことを使用者に知らせ、ディスプレイ６４を制御して視覚的アラームメッセージを表示させ、ＴＲＯＢが最小ＴＲＯＢと等しいことを使用者に知らせる。コントローラ６６は、事前に設定または決定しておいてもよい時間、たとえば１０秒間にわたり、ブロック１５６と１５８にしたがって動作してもよい（これは、図のように逐次的ではなく、同時に行われてもよい）。この時間が経過すると、コントローラ６６は医療供給システム５０をオフにする、すなわちその電源が切れるようにしてもよい。
【００２９】
これに対して、ブロック１５４でコントローラ６６が、ＴＲＯＢが最小ＴＲＯＢと等しくないと判断すると、コントローラ６６は１回または複数回、判断を行ってもよく、ここでＴＲＯＢが１つまたは複数の範囲または閾値と比較される。コントローラ６６がこの判断を行ったところで、コントローラ６６は、システム５０が異なる動作状態間で変化できるようにして（またはそれを制限して）ＴＲＯＢを変化させてもよく、音声または視覚的警報が使用者に対して発せられるようにしてもよく、あるいはシステム５０をオフにする、すなわちその電源が切れるようにしてもよい。図３に示される方法の実施形態では、このような範囲または閾値に関する判断が４回行われてもよいが、当然のことながら、本発明によるすべての実施形態にこの判断のすべてが含まれるとはかぎらない。
【００３０】
たとえば、方法１５０によって動作するコントローラ６６は、ＴＲＯＢが、本明細書において保存期間と呼ばれることがある特定の数値範囲について設定された最大値より大きい場合、システム５０の動作状態を変更して、ＴＲＯＢに影響を与える。この範囲より高い（または、この閾値、すなわち保存期間上限より高い）と、方法１５０は、表示される情報の性質を決定付ける、またはシステム５０の動作のその他の特徴に影響を与える判断を行ってもよいが、バッテリ管理システム６０は、システム５０の動作状態に応じてＴＲＯＢを変化させる。同様に、この範囲内では（または、保存期間上限より小さいと）、方法１５０はさらに、提供される警報または表示される情報を決定付ける判断を下してもよいが、バッテリ管理システム６０は、医療供給システムの動作状態に関係なく、ＴＲＯＢを減少させる。しかしながら、図の実施形態では複数の閾値判断を行うことが可能であるが、その代わりに、他の実施形態によれば、保存期間に関する閾値判断は１回でもよい。
【００３１】
本発明によるシステム６０の特定の実施形態によれば、ＴＲＯＢは、有効バッテリ容量、予想ＴＲＯＢ（すなわちＰＴＲＯＢ）、および保存期間上限を、バッテリ５６とシステム５０の保守的モデリングから作成された１つまたは複数の表に関係付ける１つまたは複数の式を参照して判断される。たとえば、コントローラ６６は、下式（式１）にしたがって毎秒、有効バッテリ能力（パーセント）を判断するようにプログラムされていてもよい。
ＣＡＰ＝ＣＡＰ−ＰＣＦ＊（１／３６００）
式中、ＣＡＰは有効バッテリ容量（保存期間容量を提供するのに必要な量より大きい）であり、
ＰＣＦは有効電力消費係数である。
【００３２】
有効容量は当初、フル充電状態のバッテリで１００％と設定される。有効電力消費係数は、バッテリ５６と医療供給システム５０の保守的モデリングに基づいて決定される。有効電力消費係数はさまざまな形態で表すことができるが、この係数は、特定の実施形態によれば、表の形で提供され、限定的な回数の供給範囲の各々について異なる係数が判断される。たとえば、システム５０が点滴ポンプとポンプコントローラである場合、単チャネルポンプには下表を使用してもよい。
【表１】
2014501125.tif 000003
【００３３】
あるいは、多チャネルポンプについては、下表を使用してもよい。
【表２】
2014501125.tif 000004
【００３４】
上表を作成するためのモデリングにおいて、バッテリ５６とシステム５０の動作に関して以下のように仮定し、電力消費を最大にし、バッテリ容量を最小にした。
１．慣例的に、低温（１５℃）で電力消費量が最大になると仮定した。
２．慣例的に、低いバッテリ動作温度（３８℃）で容量が最小になると仮定した。
３．慣例的に、大きい充電／放電サイクル数（たとえば５０〜７０）で容量が最小になると仮定した。
４．各範囲の最大流量で電力消費が最大になると仮定した。
５．最終放電電圧が１１Ｖの充電／放電サイクルで容量が最小になると仮定した。
【００３５】
これに加えて、モデリングでは、上で保存期間とされた期間中に、システム５０を動作させるために十分なバッテリ能力が保存されると仮定した。この期間中、電力消費を最大にするために、さらに以下のように仮定した。
１．すべてのチャネル（多チャネルの場合）が高い供給速度（流量）で動作する。
２．表示ユニット６４が５０％のバックライトで動作する（通常は１０％のバックライトで動作すると仮定される）。
【００３６】
有効バッテリ容量（ＣＡＰ）がわかっていると、現在のＴＲＯＢは下式（式２）により判断される。
ＣＴＲＯＢ＝ＰＴＲＯＢ＊ＣＡＰ＋ＲＲＭ
式中、ＣＴＲＯＢは現在のＴＲＯＢであり、
ＰＴＲＯＢはその時点でシステム５０により提供される供給速度（たとえば流量）により上表から得られる予想ＴＲＯＢであり、
ＣＡＰは有効バッテリ容量であり、
ＲＲＭは保存期間上限（この場合、３０分）である。
【００３７】
次に、コントローラ６６がブロック１５４で、ＴＲＯＢが最小ＴＲＯＢ（たとえば０分）と等しくないと判断すると、方法１５０はブロック１６２に進み、ここでコントローラ６６は、ＴＲＯＢが第一の閾値の大きさを超えるか否か判断する。ＴＲＯＢがこの第一の閾値の大きさを超える場合、方法１５０はブロック１６４に進み、コントローラ６６は表示ユニット６４に、システム５０がバッテリ電源で動作しているとの視覚的警告を使用者に向けて表示させる。これはまた、特定の実施形態によれば、音声警報を伴っていてもよい。方法１５０は次に、ブロック１６６に進み、ここでコントローラ６６は表示ユニット６４に、残りのバッテリ寿命の時間数を示す視覚的指標を表示させる。この視覚的指標は毎秒または毎分減少させてもよいが、コントローラ６６はその代わりに、この指標を１時間に１回のみ変えるように設定してもよい。
【００３８】
ブロック１６６を実行した後、方法１５０によりプログラムされたコントローラ６６は、ブロック１６８で、システム５０が、システム５０の動作状態を変化させる決定を表す使用者からの入力を受け取っているか否かを判断してもよい。たとえば、システム５０がポンプとポンプコントローラを含む薬液送達システムである場合、使用者は現在システム５０によって提供されている速度より速い、または遅い点滴速度の新たな点滴プログラムを入力してもよい。ブロック１６８でこの入力が受け取られたと判断されると、システム６０はブロック１７０で、動作状態の変更に関するデータを受け取ってもよく、ブロック１７２で、動作状態の変化に合わせてＴＲＯＢを変化させてもよい。すなわち、より大きい流量への変更がプログラムされた場合はＴＲＯＢを減少させてもよく、その一方で、より少ない流量に変更された場合はＴＲＯＢを増大させてよい。
【００３９】
これに対して、コントローラ６６がブロック１６２で、ＴＲＯＢが第一の閾値の大きさ（たとえば１時間）より小さいと判断すると、コントローラ６６はブロック１７４で、ＴＲＯＢが第二の閾値の大きさ、特に保存期間上限より小さいか否か判断する。一例として、保存期間上限は３０分に設定されてもよい。コントローラが、ＴＲＯＢが保存期間上限より小さくないと判断すると、コントローラ６６はブロック１７６に進む。
【００４０】
ブロック１７６で、コントローラ６６は表示ユニット６４に、システム５０がバッテリ残量減少範囲（たとえばＴＲＯＢが１時間と３０分の間）に入ったとの視覚的警告を使用者に向けて表示させる。これはまた、特定の実施形態によれば、音声警報を伴っていてもよい。方法１５０は次にブロック１７８に進み、ここでコントローラ６６は表示ユニット６４に、残りのバッテリ寿命の時間数（たとえば１時間）を示す数字による視覚的指標を表示させる。この視覚的指標は毎秒または毎分減少させてもよいが、コントローラ６６はその代わりに、この指標を１回のみ表示させるように決定してもよい。
【００４１】
ブロック１７８を実行した後、方法１５０によりプログラムされたコントローラ６６はブロック１８０で、ブロック１６８と同様に、システム５０が、システム５０の動作状態を変化させる決定を表す使用者からの入力を受け取っているか否かを判断してもよい。ブロック１８０でこの入力が受け取られたと判断されると、システム６０はブロック１８２で、動作状態の変更に関するデータを受け取ってもよく、ブロック１８４で、動作状態の変化に合わせてＴＲＯＢを変化させてもよい。
【００４２】
さらに進んで、コントローラ６６がブロック１７４で、ＴＲＯＢが保存期間上限より小さいと判断すると、方法１５０はブロック１８６に進み、ここで第三の閾値の大きさ（たとえば５分）に関する判断が行われる。この比較は使用者に対して段階的な警報を発することができるように行われるが、他の実施形態では、第三の閾値の比較と、図に示されているその後の第四の比較も望ましくない、または不要であり得る。しかしながら、使用者が段階的に警報を受け取ることができ、なるべく慌てることがないようにするためには、複数の閾値を設定してもよい。
【００４３】
ブロック１８６でコントローラが、ＴＲＯＢが５〜３０分の範囲内にあると判断すると、方法１５０はブロック１８８に進み、ここでコントローラ６６は表示ユニット６４に、システム５０がバッテリ残量最低範囲に入った（たとえばＴＲＢＯが５分〜３０分の間）との視覚的警告を使用者に向けて表示させる。これは、特定の実施形態によれば、音声警報を伴っていてもよい。方法１５０は次にブロック１９０に進み、ここでコントローラ６６は表示ユニット６４に、残りのバッテリ寿命の分数（たとえば３０分）を示す数字による視覚的指標を表示させる。この視覚的指標は毎分減少させてもよいが、コントローラ６６はその代わりに、この指標を５分単位でのみ表示させるように決定してもよい。
【００４４】
ブロック１９０を実行した後、方法１５０によりプログラムされたコントローラ６６はブロック１９２で、ブロック１６８と同様に、システム５０が、システム５０の動作状態を変化させる決定を表す使用者からの入力を受け取っているか否かを判断してもよい。ブロック１９２でこの入力が受け取られたと判断されても、システム６０はブロック１９４で、依然として動作状態変更に関するデータを受け取ってもよい。しかしながら、医療供給システム５０は保存期間内で動作しているため、コントローラ６６はブロック１９６で、ＴＲＯＢを動作状態の変更に合わせて変更しない。その代わりに、コントローラ６６は医療供給システムの動作状態に関係なく、引き続きＴＲＯＢを減少させる。コントローラ６６は、ＴＲＯＢが保存期間内にある間、医療供給システム５０の動作状態に関係なく、使用者にＴＲＯＢを表示し続ける。
【００４５】
ブロック１８６でＴＲＯＢが第三の閾値より小さいと判断されると、方法１５０はブロック１９８で、引き続き第四の閾値に関する判断を行う。このとき、コントローラ６６はＴＲＯＢが、図のように０分と設定されてもよい保存期間下限より大きいか否かを判断する。ＴＲＯＢが保存期間下限より大きい場合、方法１５０はブロック２００に進む。
【００４６】
ブロック２００で、コントローラ６６は表示ユニット６４に、システム５０がバッテリ切れ範囲（たとえばＴＲＯＢが０分〜５分の間）に入ったとの視覚的警告を使用者に向けて表示させる。これは、特定の実施形態によれば、音声警報を伴っていてもよい。方法１５０は次にブロック２０２に進み、ここでコントローラ６６は表示ユニット６４に、残りのバッテリ寿命の分数（たとえば５分）を示す数字による視覚的指標を表示させる。この視覚的指標は１分未満、たとえば秒単位で減少させてもよいが、コントローラ６６はその代わりに、この指標を１分単位でのみ表示させるように決定してもよい。
【００４７】
ブロック２０２を実行した後、方法１５０によりプログラムされたコントローラ６６はブロック２０４で、ブロック１６８と同様に、システム５０が、システム５０の動作状態を変化させる決定を表す使用者からの入力を受け取っているか否かを判断してもよい。ブロック１９２でこの入力が受け取られたと判断されても、システム６０はブロック２０６で、依然として動作状態変更に関するデータを受け取ってもよい。しかしながら、医療供給システム５０は保存期間内で動作しているため、コントローラ６６はブロック２０８で、ＴＲＯＢを動作状態の変更に合わせて変更しない。その代わりに、コントローラ６６は医療供給システムの動作状態に関係なく、引き続きＴＲＯＢを減少させる。コントローラ６６は、ＴＲＯＢが保存期間内にある間、医療供給システム５０の動作状態に関係なく、使用者にＴＲＯＢを表示し続ける。
【００４８】
方法１５０は、ブロック１９８で保存期間下限に到達した（たとえばＴＲＯＢが０分と等しい）と判断されると、ブロック２１０に進む。このような場合、コントローラ６６は単純に医療供給システム５０をオフにする、すなわちその電源を切る動作を開始できる。しかしながら、図の実施形態によれば、方法１５０にしたがって動作するコントローラ６６はその代わりに、医療供給システム５０の電源が最終的に切られる前に、最後の５分間の１期間を設けるようにプログラムされていてもよい。
【００４９】
したがって、コントローラ６６は表示ユニット６４を制御して、システム５０がシャットダウン期間に入った（たとえばＴＲＯＢが０分に到達した）との視覚的警告を使用者に向けて表示させる。これはまた、特定の実施形態によれば、音声警報を伴っていてもよい。コントローラ６６はまた、表示ニット６４に、残りのバッテリ寿命の分数（たとえば５分）を示す数字による視覚的指標を表示させてもよい。この視覚的指標は１分未満で減少させてもよいが、コントローラ６６はその代わりに、この指標を１分単位でのみ表示させるように決定してもよい。コントローラ６６はまた、ブロック２１４で現在実行中の点滴を停止してもよい。
【００５０】
方法１５０によりプログラムされたコントローラ６６は次にブロック２１６で、ブロック１６８と同様に、システム５０が、システム５０の動作状態を変化させる決定を表す使用者からの入力を受け取っているか否かを判断してもよい。ブロック２１６でこの入力が受け取られたと判断されても、システム６０はブロック２１８で、依然として動作状態変更に関するデータを受け取ってもよい。しかしながら、医療供給システム５０はシャットダウン範囲内で動作しているため、コントローラ６６はシステム５０がプログラムされた変更を実行するのを阻止する。その代わりにコントローラ６６は、医療供給システムの動作状態に関係なく、引き続きＴＲＯＢを減少させ、医療供給システム５０の動作を禁止する。コントローラ６６は、ＴＲＯＢがシャットダウン範囲内にある間、医療供給システム５０の動作状態に関係なく、使用者にＴＲＯＢを表示し続ける。
【００５１】
コントローラ６６がブロック２２２で、シャットダウン範囲の終了に到達した（たとえば５分が経過した）と判断すると、コントローラ６６はブロック２２４で、医療供給システム５０をシャットダウンする。
【００５２】
次に図４を参照すると、バッテリ５６の充電方法２５０はブロック２５２から始まる。ブロック２５２でコントローラ６６は、医療供給システム５０が主電源を使って電源供給されているか否かを判断する。コントローラ６６が、医療供給システム５０が主電源から電源供給されていない（たとえばシステム５０がバッテリ５６に連結されているか、バッテリが放電し終え、システム５０がシャットダウンされている）と判断すると、コントローラ６６は方法２５０を先に進めない。しかしながら、コントローラ６６が、システム５０は主電源に連結されていると判断すると、方法２５０によりプログラムされているコントローラ６６は、ブロック２５４に進む。
【００５３】
ブロック２５４で、コントローラ６６はＴＲＯＢが保存期間上限（たとえば３０分）より大きいか否かを判断する。ＴＲＯＢが保存期間上限以下の場合、方法２５０はブロック２５６に進み、上限より大きい場合、方法２５０はブロック２５８に進む。
【００５４】
次にブロック２５６へと続き、第一の予防策として、コントローラ６６はブロック２５６で、バッテリ５６の電圧が１１Ｖ未満に低下したか否かを判断する。低下していれば、コントローラ６６はブロック２５８でバッテリがフル充電されたと判断されるまで、ＴＲＯＢを変化させない。それまで、バッテリ５６が充電器８０を使って充電されていても、表示ユニット６４は、バッテリ５６の再充電状態に従って変化しない。コントローラ６６がブロック２５６で、電圧５６が１１Ｖ未満に低下していないと判断すると、方法２５０はブロック２６０に進む。
【００５５】
第二の予防策として、コントローラ６６はブロック２６０で、充電器８０が主電源に所定の連続する時間、たとえば連続して３０分を超えて連結されていたか否かを判断する。充電器８０が連続して３０分を超えて主電源に連結されていない場合、方法２５０は、バッテリ５６内の充電電流が第一の電流閾値未満であるか否かの判断を行うブロック２６２へと進まない。実際、充電器８０が連続して３０分間が経過する前に主電源から切断された場合、コントローラ６６は、ブロック２５２で充電器８０が主電源に再接続されたことを検出すると、充電方法２５０を再開してもよい。コントローラ６６が、充電器８０が主電源に３０分を超えて連結されていたと判断すると、方法はブロック２６２に進む。
【００５６】
ブロック２６２で、コントローラ６６は充電電流が第一の電流閾値未満であるか判断する。第一の電流閾値は、バッテリ５６の第一の充電状態を表す。方法２５０は、バッテリ５６内の充電電流が第一の電流閾値未満に低下するまで、次に進まない。充電電流が第一の電流閾値未満に低下すると、コントローラ５６はブロック２６４で表示ユニット６４を制御して、第一の再充電量を表す１つまたは複数の数値を表示させ、これは、図４に示される実施形態を含む特定の実施形態によれば、保存期間上限と同じでもよい。すると、方法２５０はブロック２５８に進む。
【００５７】
コントローラ６６はブロック２５８で、充電電流が第二の電流閾値未満であるか否かを判断する。第二の電流閾値はバッテリ５６の第二の充電状態を表す。図の実施形態によれば、第二の充電状態はバッテリ５６のフル充電状態に対応してもよいが、他の実施形態ではそうでなくてもよい。充電電流が第二の充電状態以下に低下すると、方法２５０はブロック２６６に進み、コントローラ５６はブロック２６６で、表示ユニット６４を制御して、第二の再充電量を表す１つまたは複数の数値を表示させ、これは、図４に示される実施形態を含む特定の実施形態によればフル充電状態と同じでもよい。方法２５０によりプログラムされたコントローラ６６は次に、有効バッテリ容量を１００％に設定してもよい。
【００５８】
システム６０と方法１５０、２５０は、上で詳しく述べた利点に加え、他の利点も提供できる。
【図１】
2014501125.tif 000005
【図２】
2014501125.tif 000006
【図３】
2014501125.tif 000007
【図４】
2014501125.tif 000008
【国際調査報告】
2014501125.tif 000009
2014501125.tif 000010